(57)【特許請求の範囲】
【請求項１】
上端開放の収容凹部を具える容器本体の下部に、下方に突出し且つ下端が開放した筒状脚体が一体乃至一体的に設けられてなり、該筒状脚体を、その下端縁で設置面に載置可能となされており、又、該筒状脚体の周面部には透孔が分散状態で設けられ、開放された前記下端から前記筒状脚体内に入射した光が前記透孔から出射される如くなされた容器であって、把手を有し、該把手の上端部は前記容器本体の外側面に連結される一方、その下端部は前記筒状脚体の外側面に連結されていることを特徴とする容器。
【請求項２】
上端開放の収容凹部を具える容器本体の下部に、下方に突出し且つ下端が開放した筒状脚体が一体乃至一体的に設けられてなり、該筒状脚体を、その下端縁で設置面に載置可能となされており、又、該筒状脚体の周面部には透孔が分散状態で設けられ、開放された前記下端から前記筒状脚体内に入射した光が前記透孔から出射される如くなされており、前記透孔が、前記筒状脚体の内側から、着色片で覆われていることを特徴とする容器。
【請求項３】
上端開放の収容凹部を具える容器本体の下部に、下方に突出し且つ下端が開放した筒状脚体が一体乃至一体的に設けられてなり、該筒状脚体を、その下端縁で設置面に載置可能となされており、又、該筒状脚体の周面部には透孔が分散状態で設けられ、開放された前記下端から前記筒状脚体内に入射した光が前記透孔から出射される如くなされており、前記容器本体と前記筒状脚体とは別体に形成されており、該筒状脚体の上部に該容器本体の下部を一体的に接合できると共に、該容器本体と該筒状脚体とを分離可能となされており、又、前記透孔が、前記筒状脚体の内側から、着色片で覆われていることを特徴とする容器。
【請求項４】
前記透孔を通して、開放した前記下端を部分的に見ることができるようになされていることを特徴とする請求項１、２又は３記載の容器。
【請求項５】
別体に形成された前記容器本体と前記筒状脚体とが一体的に設けられており、該筒状脚体の上部に該容器本体の下部が接合されていることを特徴とする請求項１又は２記載の容器。
【請求項６】
前記筒状脚体は、その上端から下端に向けて円錐状に拡大していることを特徴とする請求項１、２又は３記載の容器。
【請求項７】
前記筒状脚体の下端側は、その下端に向けて円錐状に拡大されていることを特徴とする請求項１、２又は３記載の容器。
【請求項８】
前記容器本体の前記収容凹部は、飲料液体を収容可能となされていることを特徴とする請求項１〜７の何れかに記載の容器。
【請求項９】
前記容器本体の収容凹部の内面は、下端に向けて小径となる円錐状に形成されていることを特徴とする請求項８記載の容器。
【請求項１０】
上端開放の収容凹部を具える容器本体の下部に、下方に突出し且つ下端が開放した筒状脚体が一体乃至一体的に設けられてなり、該筒状脚体を、その下端縁で設置面に載置可能となされており、又、該筒状脚体の周面部には透孔が分散状態で設けられ、開放された前記下端から前記筒状脚体内に入射した光が前記透孔から出射される如く構成されており、
又、全体が耐熱性を有すると共に把手が設けられており、該把手の上端部は前記容器本体の外側面に連結される一方、その下端部は前記筒状脚体の外側面に連結されており、
前記筒状脚体は、その内部に燃焼発熱体を納めた状態となる如く該燃焼発熱体に被せられる如くなされており、該筒状脚体には、該燃焼発熱体の燃焼を継続させる空気流入孔が設けられていることを特徴とする耐熱性飲料容器。
【請求項１１】
前記容器本体の下部に一体乃至一体的に設けられてなる前記筒状脚体は、その上端から下端に向けて円錐状に拡大していて、前記容器本体と前記筒状脚体との接合部分がくびれた状態に形成されていることを特徴とする請求項１０記載の耐熱性飲料容器。
【発明の詳細な説明】
【技術分野】
【０００１】
本発明は、興趣に富んだ装飾効果を発揮できる容器に関するものであり、又、興趣に富んだ装飾効果を発揮できることに加えて、飲料液体を適度に加熱できる耐熱性飲料容器に関するものである。
【背景技術】
【０００２】
コーヒーやお茶、ホットドリンク類等の飲料液体を収容するために用いられる上端開放の飲料容器ａ、例えば図２７に示すようなコーヒーカップａ１（例えば特許文献１）や図２８に示すようなマグカップａ２（例えば特許文献２）は、飲料液体を収容するための容器本体ｂの下部に高台ｃが設けられている。この高台ｃは、容器本体ｂを支える脚部としての機能を有するものであったが、それ自体が特別な機能を発揮したり、特別な意匠効果を発揮するものではなかった。
【０００３】
又、それほど多くの飲料液体を収容することが予定されていない高さの低い飲料容器（例えばコーヒーカップ）にあっては、半環状を呈する把手ｄの上下長さが短いために、例えば図２７（Ａ）に示すように、該把手ｄの指挿入空間ｅに１本の手指（人指し指）ｆを挿通させて該把手ｄを把持せざるを得ないのが一般的であって、飲料容器を持ちにくい問題があった。
【０００４】
又、飲料容器に収容した液体を固形燃料を用いて卓上で加熱して飲むことができるようにしてなる卓上型固形燃料用コンロとして、特許文献３が開示するもの等が提案されている。該コンロは、例えば、日本酒を収容した徳利を該コンロの上端に載せて固形燃料を燃焼させて加熱し、好みの温度に酒を沸かして飲むことができるように構成されていた。
【０００５】
このような卓上型固形燃料用コンロを用いるときは、飲料容器に収容したコーヒーや紅茶、アルコール飲料等を好みの温度に加熱して飲むことができるが、該飲料容器を図９に示すようにコンロｇの上端ｈに載せる際、バランスよく載せないと飲料容器が転落してしまい、収容されている飲料容器がこぼれたり飲料容器が割れたりする恐れがあり、その取り扱いに慎重さを要する問題があった。
【先行技術文献】
【特許文献】
【０００６】
【特許文献１】特開２００３−３０４８２０号公報
【特許文献２】特開２００３−２９００１５号公報
【特許文献３】実用新案登録第３０６８２１９号公報
【発明の概要】
【発明が解決しようとする課題】
【０００７】
本発明は、前記問題点に鑑みて開発されたものであり、光模様を楽しむことができる等、興趣に富んだ装飾効果を発揮できる容器の提供を課題とするものである。又、かかる興趣に富んだ装飾効果を発揮できることに加えて、容器本体に収容した飲料液体を蝋燭等により安全に然も取り扱い性よく加熱でき、しかも、安定的に持ち上げて飲料液体を飲むことを可能とする耐熱性飲料容器の提供を課題とするものである。
【課題を解決するための手段】
【０００８】
前記課題を解決するため、本発明は以下の手段を採用する。
本発明に係る容器は、上端開放の収容凹部を具える容器本体の下部に、下方に突出し且つ下端が開放した筒状脚体が一体乃至一体的に設けられてなり、該筒状脚体を、その下端縁で設置面に載置可能となされており、又、該筒状脚体の周面部には透孔が分散状態で設けられ、開放された前記下端から前記筒状脚体内に入射した光が前記透孔から出射される如くなされた容器であって、把手を有し、該把手の上端部は前記容器本体の外側面に連結される一方、その下端部は前記筒状脚体の外側面に連結されていることを特徴とするものである  
【０００９】
本発明に係る容器の他の態様は、上端開放の収容凹部を具える容器本体の下部に、下方に突出し且つ下端が開放した筒状脚体が一体乃至一体的に設けられてなり、該筒状脚体を、その下端縁で設置面に載置可能となされており、又、該筒状脚体の周面部には透孔が分散状態で設けられ、開放された前記下端から前記筒状脚体内に入射した光が前記透孔から出射される如くなされており、前記透孔が、前記筒状脚体の内側から、着色片で覆われていることを特徴とするものである。
【００１０】
本発明に係る容器のその他の態様は、上端開放の収容凹部を具える容器本体の下部に、下方に突出し且つ下端が開放した筒状脚体が一体乃至一体的に設けられてなり、該筒状脚体を、その下端縁で設置面に載置可能となされており、又、該筒状脚体の周面部には透孔が分散状態で設けられ、開放された前記下端から前記筒状脚体内に入射した光が前記透孔から出射される如くなされており、前記容器本体と前記筒状脚体とは別体に形成されており、該筒状脚体の上部に該容器本体の下部を一体的に接合できると共に、該容器本体と該筒状脚体とを分離可能となされており、又、前記透孔が、前記筒状脚体の内側から、着色片で覆われていることを特徴とするものである。
【００１１】
これらの各容器において、前記透孔を通して、開放した前記下端を部分的に見ることができるようになすがよい。
【００１２】
又、これらの各容器において、別体に形成された前記容器本体と前記筒状脚体とを一体的に設け、該筒状脚体の上部に該容器本体の下部を接合するのがよい。
【００１３】
又、これらの各容器において、前記筒状脚体は、その上端から下端に向けて円錐状に拡大したものとするのがよい。
【００１４】
又、これらの各容器において、前記筒状脚体の下端側を、その下端に向けて円錐状に拡大する如く構成するのがよい。
【００１５】
これらの各容器において、前記容器本体の前記収容凹部は、飲料液体を収容可能となすことができる。そしてこの場合は、前記容器本体の収容凹部の内面を、下端に向けて小径となる円錐状に形成するのがよい。
【００１６】
本発明に係る耐熱性飲料容器は、上端開放の収容凹部を具える容器本体の下部に、下方に突出し且つ下端が開放した筒状脚体が一体乃至一体的に設けられてなり、該筒状脚体を、その下端縁で設置面に載置可能となされており、又、該筒状脚体の周面部には透孔が分散状態で設けられ、開放された前記下端から前記筒状脚体内に入射した光が前記透孔から出射される如く構成されており、又、全体が耐熱性を有すると共に把手が設けられており、該把手の上端部は前記容器本体の外側面に連結される一方、その下端部は前記筒状脚体の外側面に連結されており、前記筒状脚体は、その内部に燃焼発熱体を納めた状態となる如く該燃焼発熱体に被せられる如くなされており、該筒状脚体には、該燃焼発熱体の燃焼を継続させる空気流入孔が設けられていることを特徴とするものである。
【００１７】
この場合、前記容器本体の下部に一体乃至一体的に設けられてなる前記筒状脚体は、その上端から下端に向けて円錐状に拡大していて、前記容器本体と前記筒状脚体との接合部分がくびれた状態に形成されたものとして構成するのがよい。
【発明の効果】
【００１８】
本発明は以下の如き優れた効果を奏する。
(1) 本発明に係る容器は、飲料液体等を収容する上端開放の容器本体の下部に、下方に突出し且つ下端が開放した筒状脚体が一体乃至一体的に設けられ、該筒状脚体をその下端縁で設置面に設置可能となされており、又、該筒状脚体の周面部には透孔が分散状態で設けられ、開放された前記下端から前記筒状脚体内に入射した光が該透孔から出射されるようになされているため、該透孔から出射される光による独特の光模様を楽しむことができる等、興趣に富んだ容器を提供できることとなる。
【００１９】
(2) 本発明に係る容器を、別体に形成された前記容器本体と前記筒状脚体とを一体的に設けることによって構成する場合は、デザインの異なる複数種類の容器本体とデザインの異なる複数種類の筒状脚体を用意することにより、これらを適宜組み合わせることによって、各種デザインの容器を構成できることとなる。特に、この一体化をねじ固定手段等によって分離可能とする場合は、該容器本体と該筒状脚体とを一体的に設けて一つの容器として利用できる他、両者を分離することによって、容器本体を単独で使用することもできる。
【００２０】
(3) 本発明に係る容器は、容器本体の下部に筒状脚体が一体乃至一体的に設けられていて上下に長いため、該容器に把手を設ける場合、該把手の上端部を前記容器本体の外側面に連結する一方、その下端部を前記筒状脚体の外側面に連結するときは、該把手を上下に長く且つ大きく構成できる。かかることから、例えば、容器本体に飲料液体が収容されてなる容器を、把手を手で把持して安定的に持ち上げ、傾けて、容器本体内のコーヒーやお茶等の飲料液体を飲むことができる。
【００２１】
(4) 前記筒状脚体を、その上端から下端に向けて円錐状に拡大する如く構成したり、該筒状脚体の下端側を、その下端に向けて円錐状に拡大する如く構成する等、該筒状脚体の下端側を拡大状態に構成するときは、本発明に係る容器を、その下端縁で、より安定した状態で設置面に載置できる。又、このように円錐状に拡大させることにより、前記透孔を設けるための表面積を増大させることができ、透孔から出射される光による光模様の立体感をより高めることができる。
【００２２】
(5) 筒状脚体の下端が開放されているため、該下端を通して筒状脚体内に手を挿入し、透孔をその内側から着色片で覆うのが容易である。このように構成するときは、透孔の着色状態をその内側から自由に変えることができ、これによって容器の意匠効果を変化させることができる。
【００２３】
(6) 前記容器本体の収容凹部の内面を、下端に向けて小径となる円錐状に形成する場合は、該収容凹部に収容した飲料液体を飲み干す場合、容器本体を大きく傾けなくてもよく、バリアフリーが考慮された容器を提供できることとなる。
【００２４】
(7) 本発明に係る耐熱性飲料容器は耐熱性を有するため、前記筒状脚体の内部に燃焼発熱体を納めた状態で該筒状脚体を設置面に載置し、該燃焼発熱体の燃焼を継続させることができる。そのため、容器本体内の飲料液体を適度に加熱して、温かいコーヒーや紅茶、お茶、アルコール飲料等の各種の飲料液体を、時間をかけてゆっくり味わうことができる。  
【００２５】
そして該容器は、容器本体の下部に筒状脚体が一体乃至一体的に設けられていることから、特許文献３における場合とは異なり、飲料容器を設置面に載置した際に、バランスを崩して容器本体が転落する等の問題を生じさせることがない。
【００２６】
又、このように容器本体を燃焼発熱体で加熱する場合は、前記容器を燃焼発熱体から離した状態で設置面に載置した場合においても、前記筒状脚体の保有熱が熱伝導により飲料液体に伝達されるので、飲料液体が冷めにくい。
【００２７】
又、このように加熱している間、燃焼による光を前記透孔を通して見ることができるため、室内が暗いときは、星を眺めているかのような雰囲気に浸れる。
【００２８】
又、温められた飲料液体を飲むために耐熱性飲料容器を持ち上げ、傾かせた際、開放された前記下端から前記筒状脚体内に入射した光が前記透孔から出射されることとなる。その結果、この出射光を眺める人には、該透孔からの出射光が、あたかも星の輝きのように見え、星空を眺めながらコーヒー等を飲んでいるかのような興趣に富んだ雰囲気が演出されることになる。又、コーヒー等を飲まんとする人が耐熱性飲料容器をこのように傾かせた際、その周りに居る人には、前記透孔を通して前記筒状脚体内に入射した光が前記下端を通して裏からも見えることがある。この場合は、周りの人も同様に、星状の光を見て楽しむことができることとなる。
【００２９】
又、該耐熱性飲料容器に設けられている把手は、その上端が前記容器本体の外側面に連結される一方、その下端部は前記筒状脚体の外側面に連結されているため、該把手は上下に長く且つ大きく形成できることになる。従って、前記容器本体を燃焼発熱体で加熱したときに容器本体と筒状脚体との接合部分が熱くなっても、該把手を把持した状態で、手指が飲料容器の加熱部分（接合部分）に接触するのを防止できる。特に、容器本体と筒状脚体との接合部分をくびれた状態に形成する場合は、把手を把持した手指が、加熱状態の該接合部分からより離れた状態となるため、手指を火傷する恐れがより小さくなる。
【図面の簡単な説明】
【００３０】
【図１】本発明に係る容器を上側から見た斜視図である。
【図２】本発明に係る容器を下側から見た斜視図である。
【図３】その容器を示す断面図である。
【図４】容器を設置面に載置して、筒状脚体の内部に納めた燃焼発熱体で容器本体内の飲料液体を加熱している状態を示す断面図である。
【図５】容器を持ち上げた状態を示す斜視図である。
【図６】容器本体を傾けた状態を示す斜視図である。
【図７】飲料液体を飲むために把手を捻って容器本体を傾けた状態を示す斜視図である。
【図８】飲料液体の飲み干しの容易性を説明する断面図である。
【図９】容器本体と筒状脚体とが別体である場合の問題点を説明する説明図である。
【図１０】把手を把持した状態において手指が容器本体と筒状脚体との接合部分から離れた状態となることを説明する側面図である。
【図１１】容器本体と筒状脚体が別体に形成され、両者を螺合締め付けによって一体化可能となされた容器を示す分解斜視図である。
【図１２】その容器本体と筒状脚体とを螺合締め付けによって一体化して構成された容器を示す断面図である。
【図１３】その容器本体をコーヒーカップ等として単独で使用する場合を示す斜視図である。
【図１４】容器本体と筒状脚体とを別体に形成し、両者を圧入手段によって一体化して構成された容器を示す分解部分断面図である。
【図１５】その容器を示す部分断面図である。
【図１６】容器本体と筒状脚体とを固定ネジで一体化して容器を構成する場合を示す斜視図と断面図である。
【図１７】筒状脚体が大きな透孔を有してなる容器を示す斜視図である。
【図１８】容器本体が円筒状に構成された飲料容器を、把手を把持して持ち上げた状態を示す正面図である。
【図１９】飲料容器の他の態様を示す断面図である。
【図２０】飲料容器のその他の態様を示す断面図である。
【図２１】筒状脚体の他の態様を示す正面図である。
【図２２】筒状脚体のその他の態様を示す正面図である。
【図２３】筒状脚体の透孔からの光の出射状態の他の態様を示す断面図である。
【図２４】把手の他の態様を示す断面図である。
【図２５】筒状脚体の外面をカバー材で覆った状態を示す断面図と斜視図である。
【図２６】筒状脚体の透孔に、筒状脚体の内側から着色片を付設した状態を示す断面図である。
【図２７】従来のコーヒーカップを、把手を把持して持ち上げた状態を示す斜視図と、これを設置面に設置した状態を示す部分断面図である。
【図２８】従来のマグカップを、把手を把持して持ち上げた状態を示す斜視図と、これを設置面に設置した状態を示す部分断面図である。
【発明を実施するための形態】
【実施例１】
【００３１】
図１〜４は、本発明に係る耐熱性飲料容器１Ａを示すものであり、これは、本発明に係る容器１が飲料液体２を収容する容器として応用された場合の一つの態様である。以下、これをより具体的に説明する。
【００３２】
即ち、該耐熱性飲料容器１Ａは、飲料液体２を収容する上端開放の収容凹部３を具える容器本体４の下部５に、下方に突出し且つ下端６が開放された筒状脚体７が一体に設けられてなり、該筒状脚体７を、その下端縁９で設置面１０に載置可能となされている。該筒状脚体７の周面部１１には透孔１２が分散状態で設けられてなり、開放された前記下端６から該筒状脚体７内に入射した光や、該筒状脚体７の内部に納められた後述の燃焼発熱体２１等の光源からの光が、前記透孔１２から出射されるようになされている。該透孔１２は、円形孔や三角形孔、四角形孔、楕円形孔等の、光を出射させ得る各種の孔として構成できる。円形孔として構成された透孔１２の径は、例えば２〜１２ｍｍ程度に設定される。
【００３３】
該耐熱性飲料容器１Ａは耐熱性を有している。本実施例においては、陶器や磁器等のセラミックスを以て構成されていて全体が耐熱性を有し、その外側面１３には、図１に示すように把手１５が設けられている。
【００３４】
前記容器本体４は、その収容凹部３が、本実施例においては図１〜３に示すように、上端１６が開放し且つ下端１７に向けて小径となる円錐状凹部として形成されており、コーヒーカップ程度の大きさである。そして該容器本体４の下部５に連設されている前記筒状脚体７は、本実施例においては図１〜３に示すように、その上端１９から下端６に向けて円錐状に拡大しており、その下端６の径は前記容器本体４の上端１６の径と略等しく形成されている。そして該筒状脚体７は、例えば図４に示すように、その内部２０に蝋燭２１ａ等の燃焼発熱体２１を納めた状態となる如く該燃焼発熱体２１に被せられる如くなされており、このように被せられた状態で、該筒状脚体７の下端縁９で、例えばコースターの上面としての設置面１０に載置される。
【００３５】
又、該筒状脚体７の周面部１１には、例えば星座を模した配置状態で前記透孔１２が分散状態で設けられ、前記飲料容器１を、図５に示すように前記把手１５を把持して持ち上げたり、或いは図６に示すように傾けたりしたときに、開放した前記下端６から前記筒状脚体７内に入射した光が前記透孔１２から出射されるようになされている。本実施例においては、このように設けられた透孔１２の内、特に、前記筒状脚体７の上側部分に設けられている稍径の大なる透孔１２（図１、図４）は、空気流入のための空気流入孔１２ａとされており、前記筒状脚体７が前記燃焼発熱体２１に被せられた状態において該燃焼発熱体２１の燃焼を継続させる。該空気流入孔１２ａが円形孔として構成された場合、その孔径は、例えば６〜１２ｍｍ程度に設定される。
【００３６】
前記把手１５は、本実施例においては図１〜３に示すように、その上端部２２が前記容器本体４の外側面１３ａの上端側に連結される一方、その下端部２３は前記筒状脚体７の上側の外側面１３ｂに連結されている。そして該把手１５は、比較的大きな半環状を呈し、且つ、偏平で水平方向の幅が稍広く形成されている。従って例えば図５に示すように、２本の手指２５ａ，２５ｂを環状空間２６に挿入して、上端の人指し指２５ａと親指２５ｄとで該把手１５の扁平な上端側部分２７を安定的に挟持できると共に、下端の中指２５ｂと薬指２５ｅとの間で該把手１５の扁平な下端側部分２９を安定的に挾持した状態で該把手１５を把持できることから、容器本体３に飲料液体２が収容されてなる飲料容器１を、図５〜６に示すように、把手１５を把持して安定的に持ち上げることができ、又、図７に示すように、把手１５を捻って容器本体４を傾けて飲料液体２を安定状態で飲むことができる。
【００３７】
この際、本実施例においては図３に示すように、前記容器本体４の前記収容凹部３が、上端１６が開放し且つ下端１７に向けて小径となる円錐状凹部として形成されているため、飲料液体２を飲み干す場合、例えば図８（Ａ）に示すように、容器本体４を大きく傾けなくてもよい利点がある。このように、本実施例に係る容器１は、バリアフリーが考慮されている。図８（Ａ）において、一点鎖線Ｌ１は水平線を示し、前記収容凹部３の内周面の下部分２８が略水平であることを示すための線である。又、二点鎖線Ｌ２は、耐熱性飲料容器１Ａの軸線を示しており、水平線Ｌ１に対して上向きに傾いている。かかることから、該容器本体４を大きく傾けなくても飲料液体２を飲み干し得ることがわかる。図８（Ｂ）は、収容凹部３が円筒状を呈する容器本体４を具える耐熱性飲料容器１Ａを示しており、耐熱性飲料容器１Ａの軸線Ｌ２は前記収容凹部３の内周面の水平な下部分２８（水平線Ｌ１上に存する）と平行している。この場合は、図８（Ａ）に示す場合に比して、容器本体４をより大きく傾けなければ飲料液体を飲み干すことができないのが分かる。
【００３８】
図４は、前記容器本体４に、コーヒーやお茶、甘酒等の甘い飲料水、或いは日本酒、焼酎、ウイスキー、ワイン等のアルコール飲料等としての各種の飲料液体２を収容して、前記筒状脚体７を、燃焼状態にある蝋燭２１ａが載置されたコースターの上面としての設置面１０に該筒状脚体７の下端縁９で載置した状態を示している。該容器本体３の下部５に筒状脚体７が一体に設けられており、然も、該筒状脚体７が前記のように円錐状に拡大しているため、耐熱性飲料容器１Ａを該設置面１０に容易且つ安定的に載置できる。例えば図９に示す如く容器本体４ａと筒状脚体７ａとが別体である場合のように、容器本体４ａを、筒状脚体７ａの上端２８に位置合わせして慎重に載せなければならないといった不具合がなく、又、載せた容器本体４が不安定化して転落する恐れもない。
【００３９】
図４に示すように耐熱性飲料容器１Ａを設置面１０に載置した状態で、前記空気流入孔１２ａやその他の透孔から筒状脚体７内に空気が適宜流入して前記蝋燭２１ａの燃焼が継続され、又、透孔１２を通して適度に熱を逃がしながら、前記容器本体４の底部３０がほどよく加熱される。これによって、前記容器本体４内の飲料液体２が適度に加熱されることになる。このように加熱している間、燃焼による光（光の出射状態を、図４に矢印で例示している）を前記透孔１２を通して外部から見ることができるため、室内が暗いときは、星を眺めているかのような雰囲気に浸れる。そして、飲料液体がほどよく加熱された状態で、図５〜６に示すように、前記把手１５を把持して耐熱性飲料容器１Ａを持ち上げ、その後、図７〜８に示すように、容器本体４を傾けて飲料液体を飲むことができる。
【００４０】
このようにして耐熱性飲料容器１Ａを持ち上げ、傾かせる際、前記下端６が空間にあって開放状態となるため、例えば図５〜６に示すように、該開放した下端６から前記筒状脚体７内に入射した光が前記透孔１２から出射される。その結果、この出射光を眺める人には、該透孔１２からの出射光が、あたかも星の輝きのように見え、星空を眺めながらコーヒー等を飲んでいるかのような興趣に富んだ雰囲気が演出されることになる。この際、前記透孔１２を通して、開放した前記下端６を部分的に見ることもできるため、該透孔１２からの出射光は明るい。見る角度によっては、開放した下端６を該透孔１２を通して見ることができない場合もあるが、この場合も、前記下端６から筒状脚体７内に入射した光が、該筒状脚体７内で乱反射されて該透孔１２から出射されるため、ある程度の明るさで出射光を見ることができる。コーヒー等を飲まんとする人が前記容器１をこのように傾かせた際、その周りに居る人には、前記透孔１２ｂ（図２）を通して前記筒状脚体７内に入射した光が前記下端６を通して裏からも見えることがある。この場合は、周りの人も同様に、星状の光を見て楽しむことができる。
【００４１】
前記把手１５は、図１〜３に示すように、その上端部２２が前記容器本体４の外側面１３ａの上端側に連結される一方、その下端部２３が前記筒状脚体７の上側の外側面１３ｂに連結されているため、図１０に示すように、該把手１５を把持した手指が、前記容器本体４と該筒状脚体７との接合部分３１から離れた状態となる。特に本実施例においては、前記容器本体４がその下端１７に向けて小径に形成されると共に、前記筒状脚体７は、円錐状を呈していてその上端１９が小径に形成されているため、該容器本体４と該筒状脚体７との接合部分３１はくびれている。従って前記把手１５を把持したとき、各手指２５は、くびれた該接合部分３１から離れた状態となる。従って、熱くなり易い該接合部分３１に手指が触れにくい。
【００４２】
その後、前記筒状脚体７を前記蝋燭２１ａに被せれば、再び、該蝋燭の燃焼によって容器本体４内の飲料液体を加熱できる。なお前記筒状脚体７を、前記蝋燭２１ａから離して、例えばテーブル面としての設置面１０に載置したとしても、前記加熱による筒状脚体７の保有熱が熱伝導により前記飲料液体２に伝わるので、該飲料液体２が冷めにくい。
【実施例２】
【００４３】
本発明は、前記実施例で示したものに限定されるものでは決してなく、「特許請求の範囲」の記載内で種々の設計変更が可能であることはいうまでもない。その一例を挙げれば次のようである。
【００４４】
(1) 図１１〜１２は、上端開放の容器本体４の下部５に、下方に突出し且つ下端６が開放した筒状脚体７が一体的に設けられてなる容器１の一例を示すものであり、該容器本体４と該筒状脚体７は別体に形成されている。本実施例においては、該容器本体４と該筒状脚体７は共に合成樹脂製とされており、該筒状脚体７の上端には、前記容器本体４の下部５に設けられたネジ筒部３２の雌ネジ部３３にねじ込まれるネジ軸部３５が設けられている。そして、該ネジ軸部３５を該雌ネジ部３３に螺合し締め付けることにより、図１２に示すように、容器本体４の下部５に、下方に突出し且つ下端６が開放した前記筒状脚体７が一体的に設けられた状態となる。このように一体化する場合、前記容器本体４の下部にネジ軸部を設けると共に前記筒状脚体７の上端にネジ筒部を設ける構成としてもよい。本実施例においては、前記容器本体４は図１３に示すように、コーヒーカップ等として単独でも使用可能となされており、該容器本体４は把手１５を有している。該把手１５は、本実施例においては逆Ｌ字状に構成されており、その下端部２３が、前記ネジ筒部３２の下端３７から浮き上がっている。
【００４５】
該容器本体４と該筒状脚体７をこのように別体に構成する場合は、容器本体４を複数種類揃えると共に筒状脚体７も複数種類揃えることにより、適宜の容器本体４と適宜の筒状脚体７との組み合わせによって、デザインの異なる各種の容器１を構成できることとなる。
【００４６】
又、図１４は、筒状脚体７の上端に、前記容器本体４の下部５に設けられた筒部３９の有する嵌入凹部４０に圧入させ得る係合突部４１を設けた場合を示しており、該係合突部４１を図１５に示すように該嵌入凹部４０に圧入することによって、容器本体４の下部５に筒状脚体７が一体的に設けられてなる容器１が構成されることになる。かかる圧入を、分離容易な圧入とするためには、該係合凹部４０の内周面や該係合突部４１の外周面にゴムパッキン材（図示せず）等の弾性パッキン材を取り付けておくのがよい。
【００４７】
又図１６は、固定ネジ４２の締め付けによって、容器本体４の下部５に筒状脚体７を一体的に設けて容器１を構成した場合を示している。そのために、図１６（Ａ）に示すように、前記筒状脚体７の上端に、前記容器本体４の下部に設けられた筒部４３を嵌め入れるための係合凹部４５を設けると共に、該係合凹部４５の周壁部４６に、例えば１２０度の角度ピッチでネジ孔４７を設け、図１６（Ｂ）（Ｃ）に示すように、該ネジ孔４７に螺合した前記固定ネジ４２を締め付けることによって、前記下部５に前記筒状脚体７を一体的に設けることとしている。本実施例においては、固定ネジ４２が若干緩んだとしても前記下部５が周壁部４６と分離しないようにするため、前記筒部４３は図１６（Ｂ）に示すように、下方に向かうにつれて拡開するように構成されている。この場合、前記下部５は、筒部ではなく内部が詰まったものとして構成されてもよい。なお、前記筒部４３と前記係合凹部４５の構成は、上下逆にしてもよい。
【００４８】
前記容器本体４の下部５に筒状脚体７の上端を一体的に設ける構成は、前記の他、接着や溶着等の手段によってもよい。又、容器本体４と筒状脚体７とを一体的に設けることができるものであれば、これらは、陶器や磁器等のセラミックスを以て構成されていてもよい。
【００４９】
(2) 図１７は、前記筒状脚体７が例えば、上端から下端に向けて円錐状に拡大する如く構成されており、その周面部１１の一部分に大きな透孔１２、例えば、三角形状を呈する大きな開口からなる透孔１２ｃが設けられると共に、該周面部１１のその他の部分には、前記と同様にして比較的小さな円形孔等としての透孔１２ｄが分散状態で設けられている。  
【００５０】
このように構成するときは、該筒状脚体７を、その内部２０に蝋燭等の燃焼発熱体２１が納められた状態となる如く該燃焼発熱体２１に被せることにより、該大きな透孔１２ｃを通して、炎が揺らいでいる様子を見ることができる一方、小さな透孔１２ｄを通して、星状の光を見ることができ、二種類の光模様を楽しむことができる。
【００５１】
(3) 前記容器１を、前記容器本体４に飲料液体２等の食品を収容するための飲料用の容器として構成する場合、該容器本体４の収容凹部３に、氷等の固形物が収容されてもよい。又、該容器本体４の収容凹部３に収容した飲料液体等の食品を冷やす目的で、前記燃焼発熱体２１をドライアイスや氷等の冷却剤に変えることもできる。特に、該冷却剤としてドライアイスを用いる場合は、前記筒状脚体７を、その内部にドライアイスを納めた状態となる如く該ドライアイスに被せてその下端縁９で設置面１０に載置することにより、前記容器本体４内の食品を冷却できると共に、前記透孔１２からドライアイスの煙を噴出させることもでき、前記透孔１２による新たな装飾効果を楽しむこともできる。
【００５２】
本発明に係る容器１（実施例１で示した耐熱性飲料容器１Ａも含む）は、前記容器本体４の前記収容凹部３に飲料液体２等の食品を収容するための容器として用いることができる他、香炉や、花瓶、植木鉢、小物入れ等として利用することもできる。そしてこれらの場合も、前記透孔から出射される光による独特の光模様を楽しむことができる。
【００５３】
(4) 前記容器本体４の形態は、例えば図１８に示すように、円筒状等の筒状に構成されることもある。
【００５４】
(5) 前記筒状脚体７は、例えば図１９に示すように、円筒部４９の下端側５０が、その下端６に向けて円錐状に拡大されたものとして構成したり、或いは図２０に示すように、全体を略同径の円筒状に構成することもある。又該筒状脚体７は、平面視で六角形状や四角形状等を呈する角形に構成されたり、台形状に構成されてもよい。
又、該筒状脚体７は、例えば図２１に示すように、長方形板状等の板状を呈する粘土片５１を適宜の方向で組み合わせて重ね、全体として筒状を呈する如く構成し、その後に焼くことによって形成されることもある。この場合は、該筒状脚体７の周面部１１に、各種多角形状の立体感を有する透孔１２が、分散状態で設けられることとなる。
【００５５】
(6) 前記筒状脚体７に設ける透孔１２の形状や大きさ、その配置状態は、例えば図２２に示すようなものも含め、所要に設定してよい。又、該透孔１２は、例えば図１〜２に示すように、筒状脚体７の下端に設けた欠切部５２を以って構成してもよい。この欠切部５２としての透孔１２は、空気流入孔としても機能できる。そして、複数の透孔の配置状態によって、前記した星座の他、イニシャルその他の立体模様を該筒状脚体７に表現することもできる。又図２３に示すように、該透孔１２の軸線を下方向に傾斜させる場合は、前記蝋燭２１ａ等の光源からの光を該透孔１２で出射させて、前記設置面１０を点状や線状等に光らせることもできる。
【００５６】
(7) 前記把手１５は、その上端部２２を前記容器本体４の外側面１３ａに連結させる一方、その下端部２３を前記筒状脚体７の外側面１３ｂに連結させて構成できるため、該把手１５を、上下に長い大きなものとして設けることができる。従って該把手１５を、容器１の全体の意匠や持ちやすさ等を考慮して、容器１の所望部位に、所望形態、所望大きさで設けることができる。
【００５７】
(8) 図２４は把手１５の他の態様を示すものであり、その上端部２２を前記容器本体４の外側面１３ａに連結しているが下端部２３はどこにも連結させていない。これとは逆に、把手１５の下端部２３を前記筒状脚体７の外側面１３ｂに連結する一方、上端部２２はどこにも連結させないように構成することもできる。
【００５８】
(9) 前記把手１５は、容器の対向側に夫々設けることもある。なお、該容器において把手１４を省略することもある。
【００５９】
(10)容器本体４内の飲料液体を前記した蝋燭等の燃焼発熱体で加熱するときは、前記筒状脚体７が熱くなりすぎる場合がある。このような場合は、例えば図２５に示すように、該筒状脚体７の外面５２を、木製カバー等の断熱性を有する適宜のカバー材５３で覆うのがよい。この際、該カバー材５３に、該筒状脚体７に設けられている透孔１２と位置合わせして開口５４を設ける。該カバー材５３は、例えば二つ割片５５，５５の端部５６，５６相互を、面ファスナや両面粘着テープ、凹凸の圧入手段等によって、着脱可能又は着脱不能の当接状態に一体化して構成できる。該カバー材５３は、筒状脚体７の意匠効果を変化させる機能をも有する。
【００６０】
(11)容器本体４内の飲料液体を加熱する場合は、容器１を耐熱性素材を用いて構成することになるが、飲料液体の加熱を行わない場合は、プラスチック素材を用いて構成することもできる。
【００６１】
(12)又、前記筒状脚体７は下端６が開放した筒状を呈するため、例えば図２６に示すように、前記透孔１２の所要のものを、筒状脚体７の内側から、着色された紙片や布片、透明又は半透明のプラスチック片等の着色片５７で覆い且つ接着や圧入等によって付設することにより、透孔１２の着色状態をその内側から自由に変えることができる。これによって、容器の意匠効果を変化させることができる。該着色片５７は、着脱可能に或いは交換可能に筒状脚体７に付設することもある。図２６（Ｂ）は、前記着色片５７が有する嵌入突部５９を前記透孔１２に圧入した状態を示している。該着色片５７を、例えば透明着色プラスチック片として構成する場合は、該透孔１２から所要色の着色光を出射させることができる。
【００６２】
(13)前記筒状脚体７を、その下端６で設置面１０に載置した状態で、該筒状脚体７内にＬＥＤ等の光源を収容することにより、前記透孔１２からの着色出射光を楽しむこともできる。
【００６３】
(14)実施例２で示されている構成は、実施例１で示した耐熱性飲料容器にも応用することができる。
【符号の説明】
【００６４】
１  容器
２  飲料液体
３  収容凹部
４  容器本体
５  容器本体の下部
６  下端
７  筒状脚体
９  下端縁
１０  設置面
１１  周面部
１２  透孔
１５  把手
２０  筒状脚体の内部
２１  燃焼発熱体
３１  接合部分
５７  着色片
【図１】
0005492264.tif 000002
【図２】
0005492264.tif 000003
【図３】
0005492264.tif 000004
【図４】
0005492264.tif 000005
【図５】
0005492264.tif 000006
【図６】
0005492264.tif 000007
【図７】
0005492264.tif 000008
【図８】
0005492264.tif 000009
【図９】
0005492264.tif 000010
【図１０】
0005492264.tif 000011
【図１１】
0005492264.tif 000012
【図１２】
0005492264.tif 000013
【図１３】
0005492264.tif 000014
【図１４】
0005492264.tif 000015
【図１５】
0005492264.tif 000016
【図１６】
0005492264.tif 000017
【図１７】
0005492264.tif 000018
【図１８】
0005492264.tif 000019
【図１９】
0005492264.tif 000020
【図２０】
0005492264.tif 000021
【図２１】
0005492264.tif 000022
【図２２】
0005492264.tif 000023
【図２３】
0005492264.tif 000024
【図２４】
0005492264.tif 000025
【図２５】
0005492264.tif 000026
【図２６】
0005492264.tif 000027
【図２７】
0005492264.tif 000028
【図２８】
0005492264.tif 000029